(57)【要約】【課題】  眼位異常の検査を行う検査装置として用いられる大型弱視鏡によって取得したデータを用いてＡＣ／Ａ比を算出すると共に、その算出結果を、大型弱視鏡を用いた検査によって取得したデータと共に同一画面に表示することで、ＡＣ／Ａ比を別の装置によって求めるような労力を削減する検査情報入力支援システム及び検査情報入力支援プログラムを提供する。【解決手段】  大型弱視鏡を用いた検査によって得られた被検眼の無調節時の自覚的斜視角及び調節後の自覚的斜視角を少なくとも含むテンプレートを表示する検査情報入力支援システムにおいて、前記テンプレートにＡＣ／Ａ比表示部を設け、前記被検眼の無調節時の中心における自覚的斜視角及び調節後の中心における自覚的斜視角に基づいて計算されたＡＣ／Ａ比を前記ＡＣ／Ａ比表示部に表示させる。【選択図】      図４
2005278764.tif 000002
【特許請求の範囲】
【請求項１】
大型弱視鏡を用いた検査によって得られた被検眼の無調節時の自覚的斜視角及び調節後の自覚的斜視角を少なくとも含むテンプレートを表示する検査情報入力支援システムにおいて、
前記テンプレートにＡＣ／Ａ比表示部を設け、前記被検眼の無調節時の中心における自覚的斜視角及び調節後の中心における自覚的斜視角に基づいて計算されたＡＣ／Ａ比を前記ＡＣ／Ａ表示部に表示させることを特徴とする検査情報入力支援システム。
【請求項２】
大型弱視鏡を用いた検査によって得られた被検眼の無調節時の自覚的斜視角及び各被検眼の過矯正を行う補正レンズによって調節された前記被検眼の調節後の自覚的斜視角を入力する入力手段と、
前記被検眼の無調節時の自覚的斜視角と前記被検眼の調節後の自覚的斜視角と各被検眼に対する前記補正レンズの屈折力とを入力する検査結果情報入力欄及びＡＣ／Ａ比を表示するＡＣ／Ａ比表示欄を含むテンプレートが記憶された記憶手段と、
表示手段に前記テンプレートを表示させ、前記入力手段によって前記検査結果情報入力欄に入力された各被検眼の中心の無調節時の自覚的斜視角及び当該被検眼の中心の調節後の自覚的斜視角と、当該被検眼の補正レンズの屈折力とに基づいて、前記補正レンズの調節刺激によって惹き起こされた調節性輻湊の変化率であるＡＣ／Ａ比を算出し、その値を前記ＡＣ／Ａ比表示欄に表示させると共に、前記算出された各被検眼のＡＣ／Ａ比と前記入力手段によって入力された、被検眼の無調節時の自覚的斜視角と被検眼の調節後の自覚的斜視角と前記各被検眼に対する補正レンズの屈折力とを前記患者毎に前記記憶手段に記憶する制御手段と、
を有することを特徴とする検査情報入力支援システム。
【請求項３】
大型弱視鏡を用いた検査によって得られた被検眼の無調節時の自覚的斜視角と前記被検眼の調節後の自覚的斜視角と各被検眼に対する前記補正レンズの屈折力とを入力する検査結果入力欄及びＡＣ／Ａ比を表示するＡＣ／Ａ比表示欄を含むテンプレートを表示する第１の表示過程と、
前記テンプレートの検査結果情報入力欄に対して、前記被検眼の無調節時の自覚的斜視角及び各被検眼の過矯正を行う補正レンズによって調節された前記被検眼の調節後の自覚的斜視角の入力を受け付ける入力受け付け過程と、
その入力受け付け過程で入力された各被検眼の中心の無調節時の自覚的斜視角及び当該被検眼の中心の調節後の自覚的斜視角と、当該被検眼の補正レンズの屈折力とに基づいて、前記補正レンズの調節刺激によって惹き起こされた調節性輻湊の変化率であるＡＣ／Ａ比を算出し、その値を前記ＡＣ／Ａ比表示欄に表示させる第２の表示過程と、
前記算出された各被検眼のＡＣ／Ａ比と前記入力受け付け過程で入力された、被検眼の無調節時の自覚的斜視角と被検眼の調節時の自覚的斜視角と前記被検眼に対する補正レンズの屈折力とを前記患者毎に記憶する記憶過程と、
をコンピュータに機能させることを特徴とする検査情報入力支援プログラム。
【発明の詳細な説明】
【技術分野】
【０００１】
本発明は、検査情報入力支援システム及び検査情報入力支援プログラムに関する。
【背景技術】
【０００２】
眼位異常は大別すると斜位と斜視がある。斜位は、融像運動により回復できる眼位ずれ、斜視は融像運動により回復できない眼位ずれとして区別される。
【０００３】
従来では、この眼位ずれの程度を測定する手法として、ＡＣ／Ａ比（調節性内寄せ−調節比、又は調節性輻湊対調節比）が算出されていた。このＡＣ／Ａ比を算出する方法としては、Ｇｒａｄｉｅｎｔ法やＨｅｔｅｒｏｐｈｏｒｉａ法による算出法が多く用いられていた（例えば、非特許文献１参照）。
【０００４】
Ｇｒａｄｉｅｎｔ法は、指標の位置を固定し、眼前に置くレンズ度数を変えることによって、調節刺激を与える方法である。
【０００５】
（ｆａｒ  Ｇｒａｄｉｅｎｔ法）
５ｍ遠方に指標を固定し、完全矯正眼鏡装用下の眼位ずれを交代プリズムカバーテストで測定する方法である。プリズムとしては、通常はプリズムバーでよいが、ロータリー（ダブル）プリズムを用いる方が眼位ずれを細かく測定できる。完全矯正レンズ度数にＳ−１．００Ｄ，Ｓ−２．００Ｄ，Ｓ−３．００Ｄと漸増的に凹レンズ度数を負荷し、そのたびに眼位ずれを測定する。
【０００６】
（ｎｅａｒ  Ｇｒａｄｉｅｎｔ法）
３３．３ｃｍ近方に指標を固定し、完全矯正度数にＳ＋３．００Ｄ（厳密には＋３．３３Ｄ）を加えた度数のレンズ装用下の眼位ずれを、前記ｆａｒ  Ｇｒａｄｉｅｎｔ法と同様に交代プリズムカバーテストで測定する。これに、Ｓ−１．００Ｄ，Ｓ−２．００Ｄ，Ｓ−３．００Ｄと漸増的に凹レンズ度数を負荷し、そのたびに眼位ずれを測定する。
【０００７】
そして、このようにして測定された結果、例えば以下のような測定結果が得られた場合のＧｒａｄｉｅｎｔ法によるＡＣ／Ａ比の算出は、
・凹レンズなしでの眼位ずれ      ：４Δの内斜（＋４Δ）
・Ｓ−１．００Ｄ負荷時の眼位ずれ：７Δの内斜（＋７Δ）
・Ｓ−２．００Ｄ負荷時の眼位ずれ：１２Δの内斜（＋１２Δ）
・Ｓ−３．００Ｄ負荷時の眼位ずれ：１５Δの内斜（＋１５Δ）
・Ｓ−４．００Ｄ負荷時の眼位ずれ：２０Δの内斜（＋２０Δ）
凹レンズなし〜Ｓ−１．００Ｄ負荷の間のＡＣ／Ａ比は、
ＡＣ／Ａ＝（７−４）／（１．００−０）＝３．０Δ／Ｄ
Ｓ−１．００Ｄ負荷〜Ｓ−２．００Ｄ負荷の間のＡＣ／Ａ比は、
ＡＣ／Ａ＝（１２−７）／（２．００−１．００）＝５．０Δ／Ｄ
凹レンズなし〜Ｓ−４．００Ｄ負荷の間のＡＣ／Ａ比は、
ＡＣ／Ａ＝（２０−４）／（４．００−０）＝４．０Δ／Ｄ
と、算出される。
【０００８】
（Ｈｅｔｅｒｏｐｈｏｒｉａ法）
Ｈｅｔｅｒｏｐｈｏｒｉａ法は、まず、完全矯正眼鏡を被検者に装用させ、瞳孔間距離（ａ（ｃｍ））を測定する。例えば、５ｍ遠方の指標固視時の眼位ずれ（ｆΔ）を交代プリズムカバーテストで測定し、続いて、３３．３ｃｍ近方の固視時の眼位ずれ（ｎΔ）を同じく交代プリズムカバーテストで測定したとすると、ＡＣ／Ａ比は、
ＡＣ／Ａ比＝（ｎΔ−ｆΔ）／３Ｄ＋ａ
として算出される。
【０００９】
【非特許文献１】丸尾敏夫，他４名編，「眼科検査法ハンドブック」，第３版，医学書院，２００３年７月１日，ｐ．６７−７５米国特許第５９２８１４８号明細書
【発明の開示】
【発明が解決しようとする課題】
【００１０】
従来の電子カルテシステムにおいて、ＡＣ／Ａ比を算出する場合には、図８に示すような入力画面に、上記Ｇｒａｄｉｅｎｔ法やＨｅｔｅｒｏｐｈｏｒｉａ法によって測定された結果を入力することによって行われていた。
【００１１】
図８に示すように、従来の電子カルテシステムにおけるＡＣ／Ａ比を算出するための入力画面は、患者情報を入力する欄と、Ｇｒａｄｉｅｎｔ法やＨｅｔｅｒｏｐｈｏｒｉａ法によって測定された結果を入力し、上述の算出方法によってＡＣ／Ａ比を算出し、その算出した結果を表示するＡＣ／Ａ比表示欄が設けられていた。
【００１２】
しかしながら、ＡＣ／Ａ比は、眼位異常の検査を行う検査装置として知られている大型弱視鏡を用いて得られた検査結果情報によっても算出できるにもかかわらず、それを利用した検査情報支援システムは提案されていなかった。なお、従来の電子カルテシステムにおいて、大型弱視鏡を用いて得られた検査結果情報を入力する画面を図９に示す。
【００１３】
図９に示すように、従来の電子カルテシステムにおける大型弱視鏡を用いて得られた検査結果情報の入力画面は、患者情報及び被検者の大型弱視鏡を用いた検査の結果情報を入力するための複数の欄が設けられており、それら複数の欄は、大型弱視鏡を用いて検査を行った被検者の右眼及び左眼について、中心及び上下左右斜め８方向における斜視角を入力する欄によって構成されている。また、それらの欄はそれぞれ、無調節時（補正レンズなし）の斜視角と、補正レンズによって調節された後の斜視角とを入力する欄（以下、調節負荷入力欄とする。）として構成されている。
【００１４】
また、上述したように、大型弱視鏡を用いて得られた検査結果情報からＡＣ／Ａ比の計算を行う場合でも、図９に示すような各検査結果情報を見ながらＡＣ／Ａ比の算出を行っていたため、入力作業が重複し、人為的な入力ミスも発生しやすく、ＡＣ／Ａ比を算出するための検者にかかる負担が大きくなっていた。
【００１５】
本発明は、以上の問題点に鑑みてなされたものであって、その目的は、眼位異常の検査を行う検査装置として用いられる大型弱視鏡によって取得したデータを用いてＡＣ／Ａ比を算出すると共に、その算出結果を、大型弱視鏡を用いた検査によって取得したデータと共に同一画面に表示することで、ＡＣ／Ａ比を別の装置によって求めるような労力を削減する検査情報入力支援システム及び検査情報入力支援プログラムを提供することにある。
【課題を解決するための手段】
【００１６】
上記課題を解決するための、請求項１記載の発明に係る検査情報入力支援システムは、大型弱視鏡を用いた検査によって得られた被検眼の無調節時の自覚的斜視角及び調節後の自覚的斜視角を少なくとも含むテンプレートを表示する検査情報入力支援システムにおいて、前記テンプレートにＡＣ／Ａ比表示部を設け、前記被検眼の無調節時の中心における自覚的斜視角及び調節後の中心における自覚的斜視角に基づいて計算されたＡＣ／Ａ比を前記ＡＣ／Ａ表示部に表示させることを特徴とする。
【００１７】
このように、大型弱視鏡を用いた検査によって取得した結果情報を入力・表示する欄を含むテンプレートに、ＡＣ／Ａ比表示部を設け、前記結果情報によって算出されたＡＣ／Ａ比を前記ＡＣ／Ａ比表示部に表示する構成としたので、ＡＣ／Ａ比を別の装置によって求めるような検者の労力を削減することができる。
【００１８】
上記課題を解決するための、請求項２記載の発明に係る検査情報入力支援システムは、大型弱視鏡を用いた検査によって得られた被検眼の無調節時の自覚的斜視角及び各被検眼の過矯正を行う補正レンズによって調節された前記被検眼の調節後の自覚的斜視角を入力する入力手段と、前記被検眼の無調節時の自覚的斜視角と前記被検眼の調節後の自覚的斜視角と各被検眼に対する前記補正レンズの屈折力とを入力する検査結果情報入力欄及びＡＣ／Ａ比を表示するＡＣ／Ａ比表示欄を含むテンプレートが記憶された記憶手段と、表示手段に前記テンプレートを表示させ、前記入力手段によって前記検査結果情報入力欄に入力された各被検眼の中心の無調節時の自覚的斜視角及び当該被検眼の中心の調節後の自覚的斜視角と、当該被検眼の補正レンズの屈折力とに基づいて、前記補正レンズの調節刺激によって惹き起こされた調節性輻湊の変化率であるＡＣ／Ａ比を算出し、その値を前記ＡＣ／Ａ比表示欄に表示させると共に、前記算出された各被検眼のＡＣ／Ａ比と前記入力手段によって入力された、被検眼の無調節時の自覚的斜視角と被検眼の調節後の自覚的斜視角と前記各被検眼に対する補正レンズの屈折力とを前記患者毎に前記記憶手段に記憶する制御手段とを有することを特徴とする。
【００１９】
このように、大型弱視鏡を用いた検査によって取得した結果情報を入力・表示する欄を含むテンプレートに、前記結果情報によって算出されたＡＣ／Ａ比を表示するようにしたので、ＡＣ／Ａ比を別の装置によって求めるような検者の労力を削減することができる。
【００２０】
上記課題を解決するための、請求項３記載の発明に係る検査情報入力支援プログラムは、大型弱視鏡を用いた検査によって得られた被検眼の無調節時の自覚的斜視角と前記被検眼の調節後の自覚的斜視角と各被検眼に対する前記補正レンズの屈折力とを入力する検査結果情報入力欄及びＡＣ／Ａ比を表示するＡＣ／Ａ比表示欄を含むテンプレートを表示する第１の表示過程と、前記テンンプレートの検査結果情報入力欄に対して、前記被検眼の無調節時の自覚的斜視角及び各被検眼の過矯正を行う補正レンズによって調節された前記被検眼の調節後の自覚的斜視角の入力を受け付ける入力受け付け過程と、その入力受け付け過程で入力された各被検眼の中心の無調節時の自覚的斜視角及び当該被検眼の中心の調節後の自覚的斜視角と、当該被検眼の補正レンズの屈折力とに基づいて、前記補正レンズの調節刺激によって惹き起こされた調節性輻湊の変化率であるＡＣ／Ａ比を算出し、その値を前記ＡＣ／Ａ比表示欄に表示させる第２の表示過程と、前記算出された各被検眼のＡＣ／Ａ比と前記入力受け付け過程で入力された、被検眼の無調節時の自覚的斜視角と被検眼の調節時の自覚的斜視角と前記被検眼に対する補正レンズの屈折力とを前記患者毎に記憶する記憶過程とをコンピュータに機能させることを特徴とする。
【００２１】
従って、大型弱視鏡を用いた検査によって取得した結果情報を入力・表示する欄を含むテンプレートに、前記結果情報によって算出されたＡＣ／Ａ比を表示するようにしたので、ＡＣ／Ａ比を別の装置によって求めるような検者の労力を削減することができる。
【発明の効果】
【００２２】
以上説明したように、本発明に係る検査情報入力支援システム及び検査情報入力支援プログラムによれば、大型弱視鏡を用いた検査によって取得したデータを用いてＡＣ／Ａ比を算出すると共に、その算出結果を、大型弱視鏡を用いた検査によって取得したデータと共に同一画面に表示するようにしたので、ＡＣ／Ａ比を別の装置によって求める作業を経ることなく、検者の労力を削減することができる。
【発明を実施するための最良の形態】
【００２３】
以下、本発明に係る検査情報入力支援システム及び検査情報入力支援プログラムの一実施形態について、図を参照して説明する。
【００２４】
図１は、本発明に係る検査情報入力支援システムの一実施形態における構成を示す図である。なお、本発明に係る検査情報入力支援システムは、公知のいわゆる電子カルテシステムを利用した構成である。図１に示すように、本実施形態における検査情報入力支援システムは、被検者の電子カルテの作成及び電子カルテの管理を行うサーバ１と、検者（検者、例えば医師）が所定の被検者の電子カルテを呼び出すために入力を行う入力手段４及び当該被検者の電子カルテを閲覧する表示手段３を備えた端末２とがネットワーク３によって接続されてなる。端末２は、各医師の診察室や検査技師が用いる検査室に設置されている。すなわち、端末２は、各検者が専ら電子カルテ画面を閲覧する場所に設けられているものとする。
【００２５】
端末２は、患者情報及び大型弱視鏡を用いた検査の結果情報を入力するための入力手段４と、大型弱視鏡を用いた検査の結果情報を入力する欄を有するテンプレートを画面表示するための表示手段３を備え、入力手段４によって入力された各種情報をサーバ１に送信したり、サーバ１から送信された各種情報を表示手段３に表示する制御手段としてのＣＰＵ２１を内蔵している。つまり、このＣＰＵ２１は、サーバ１のＣＰＵ１１からの要求を受けて、サーバ１から送信された各種情報を表示手段３に表示したり、入力手段４によって入力された各種情報をサーバ１のＣＰＵ１１に送信して各種処理を要求するように機能する。
【００２６】
サーバ１には、ＣＰＵ１１と、記憶手段１２と、ＲＯＭ１３と、ＲＡＭ１４とが設けられ、ＣＰＵ１１は、サーバ１自体の制御及び端末２に対する制御を行う制御手段を構成している。前記ＣＰＵ２１及びＣＰＵ１１が、本請求項にいう制御手段に該当する。
【００２７】
また、記憶手段１２は、例えばハードディスク等の装置であり、当該記憶手段１２には、前記テンプレートと、過去に端末２から送信された患者情報とが記憶され、データベースとして管理されている。
【００２８】
ここで、前記テンプレートは、患者情報及び被検者の大型弱視鏡を用いた検査の結果情報を入力するための複数の欄と、ＡＣ／Ａ比を算出するために入力する「調節負荷入力欄」と、算出されたＡＣ／Ａ比を表示するための「ＡＣ／Ａ比表示欄」が画成された画像情報である。すなわち、検者が入力手段４を用いて患者情報及び被検者の大型弱視鏡を用いた検査の結果情報を入力するための入力画面を表示手段３に表示する際にＣＰＵ１１が参照する画像情報である。ここで、前記「ＡＣ／Ａ比表示欄」が本請求項にいうＡＣ／Ａ比表示部に該当する。
【００２９】
また、公知の電子カルテシステムにおいては、各検査を実施することによって得た検査結果情報を入力し、管理するためのテンプレートが検査毎にその仕様を異ならせて記憶手段１２に記憶されている。従って、本発明にいうテンプレートは、様々な検査についてそれぞれ用意されたテンプレートのうちの、大型弱視鏡を用いた検査によって得られた検査結果情報を入力し、管理するためのテンプレートについて述べている。
【００３０】
さらに、ＲＯＭ１３には、公知の電子カルテプログラム及び本実施形態によって機能する検査情報入力支援プログラム等が記憶され、ＲＯＭ１３に記憶された検査情報入力支援プログラムが起動されると、このコンピュータシステムは、本発明の検査情報入力支援システムの一実施形態として動作する。
【００３１】
ＲＡＭ１４は、サーバ１と端末２との間で授受された各種情報を一時的に記憶する手段として機能する。このＲＡＭ１４の機能は、例えば、ＣＰＵ２１からの要求に応じて、記憶手段１２に記憶された所定の被検者の過去の大型弱視鏡を用いた検査の結果情報が端末２に送信される際に、ＣＰＵ１１によって当該情報を一時的に記憶する機能である。
【００３２】
従って、ＲＯＭ１３に記憶された検査情報入力支援プログラムは、本発明に係る検査情報入力支援プログラムの一実施形態に相当する。また、本発明に係る検査情報入力支援プログラムがＣＤ−ＲＯＭ等に記録されてもよいし、当該検査情報入力支援プログラムがコンピュータシステムのハードディスク内にインストールされた状態のハードディスクも、本発明に係る検査情報入力支援プログラムを記録した記録媒体の一態様に相当する。
【００３３】
次に、このように構成された本発明に係る検査情報入力支援システムの動作について、図２を中心に参照して以下に説明する。なお、この説明においては、本発明に係る検査情報入力支援プログラムの動作も同様である。
【００３４】
図２は、本発明に係る検査情報入力支援システムの一実施形態における動作を示すフローチャートである。また、図３〜７は、本発明に係る検査情報入力支援システムの一実施形態において表示手段に表示される大型弱視鏡を用いた検査の入力画面及び表示画面を示す図であり、特に、図７は、本発明に係る検査情報入力支援システムの一実施形態においてＡＣ／Ａ比表示部が含まれた大型弱視鏡を用いた検査の入力画面を示す図である。
【００３５】
まず、診察室に設置された端末２の入力手段４を検者（例えば医師）が用いることによって、ＲＯＭ１３に記憶された電子カルテシステムがＣＰＵ１１及びＣＰＵ２１によって起動されると、電子カルテ受け付け画面（図３参照）が表示手段３に表示され、その画面内の検査項目欄の大型弱視鏡を用いた検査項目を選択すると、当該項目が選択されたことをＣＰＵ２１がＣＰＵ１１に送信し、ＣＰＵ１１が記憶手段１２からテンプレートを含む入力画面情報を読み出す（Ｓ１）。
【００３６】
その後、ＣＰＵ１１から入力画面情報が送信されたことを受けて、ＣＰＵ２１が表示手段３に入力画面（図４参照）を表示する（Ｓ２）。
【００３７】
ここで、図４に示すように、本実施形態のテンプレートには、患者情報を入力する欄と、大型弱視鏡を用いて検査を行った被検者の右眼及び左眼について、中心及び上下左右斜め８方向における斜視角を入力する欄（以下、検査結果情報入力欄とする。）とが設けられており、検査結果情報入力欄はそれぞれ、無調節時（補正レンズなし）の斜視角と、補正レンズによって調節された後の斜視角とを入力する欄（以下、調節負荷入力欄とする。）として構成されている。
【００３８】
また、このテンプレートには、中心の無調節時の斜視角と、補正レンズによって調節された後の中心の斜視角とを入力する欄の近傍にＡＣ／Ａ比を表示する欄（以下、ＡＣ／Ａ比表示欄とする。）及び前記補正レンズによる調節負荷を入力する欄が設けられている。
【００３９】
そして、表示手段３に入力画面が表示されたことを受けて、検者は、入力手段４を用いて、検査結果を入力する対象である被検者の患者情報を前記患者情報入力欄に入力する（図５参照）。このとき、ＣＰＵ１１は、当該患者情報が入力手段４によって入力され、その入力をＣＰＵ２１が検知し、ＣＰＵ２１から当該患者情報が入力された旨の信号を受信したか否かを判定し（Ｓ３）、患者情報が入力されていれば（Ｓ３−Ｙｅｓ）、テンプレートに画成された各入力欄に、大型弱視鏡を用いた検査の結果情報の入力を受け付けると共に、それら入力された各情報を表示手段３に表示する（Ｓ４）。
【００４０】
その後、ＣＰＵ１１は、図６に示すように、大型弱視鏡を用いた検査の結果情報の入力が入力手段４によって検査結果情報入力欄及び調節負荷入力欄に入力され、その入力をＣＰＵ２１が検知し、ＣＰＵ２１から大型弱視鏡を用いた検査の結果情報が入力された旨の信号を受信することによって、ＣＰＵ１１が大型弱視鏡を用いた検査の結果情報からＡＣ／Ａ比を算出する（Ｓ５）。なお、図６では、右眼の中心における無調節時の斜視角、調節後の斜視角及び調節負荷量のみ示している。
【００４１】
ＡＣ／Ａ比の算出については、各被検眼の中心における無調節時の斜視角Δｎと、当該被検眼の中心における調節後の斜視角Δ０と、補正レンズによる調節負荷量Ｄから以下のように算出される。
ＡＣ／Ａ比＝（Δｎ−Δ０）／Ｄ
従って、図６のように右眼について無調節時及び調節後の斜視角が入力された場合、ＡＣ／Ａ比は、
ＡＣ／Ａ比＝（２６−１６）／２＝５
と算出される。
【００４２】
その後、ＣＰＵ１１は、このようにして算出したＡＣ／Ａ比及び大型弱視鏡を用いた検査の結果情報を記憶手段１２に被検者毎に記憶する（Ｓ６）。このとき、記憶手段１２に記憶される情報は、大型弱視鏡を用いた検査の被検者毎の結果情報だけではなく、その結果情報がテンプレートに関連付けられた情報としてもよい。
【００４３】
そして、ＣＰＵ１１は、算出されたＡＣ／Ａ比の値をＡＣ／Ａ比情報としてＣＰＵ２１に対して送信すると共に、そのＡＣ／Ａ比の値を前記テンプレートに設けられたＡＣ／Ａ表示部に表示するように指示する。
【００４４】
ＡＣ／Ａ比情報を受信したＣＰＵ２１は、表示手段３に対して、前記テンプレートに設けられたＡＣ／Ａ表示部にＡＣ／Ａ比情報を表示するように要求する。このようにして、図７に示すように、表示手段３に表示されたテンプレートのＡＣ／Ａ比表示欄には、大型弱視鏡を用いて得られた結果情報及びＡＣ／Ａ比が表示されることになる。
【００４５】
以上のように、本発明によれば、大型弱視鏡を用いた検査によって取得したデータを用いてＡＣ／Ａ比を算出すると共に、その算出結果を、大型弱視鏡を用いた検査によって取得したデータと共に同一画面に表示することで、ＡＣ／Ａ比を別の装置によって求めるような労力を削減することができる。
【００４６】
以上で説明した構成は、本発明の実施形態の一例に過ぎない。従って、本発明の意味する範囲内における構成の各種の変形や変更、追加を適宜施すことが可能である。
【図面の簡単な説明】
【００４７】
【図１】本発明に係る検査情報入力支援システムの一実施形態における構成を示す図。
【図２】本発明に係る検査情報入力支援システムの一実施形態における動作を示すフローチャート。
【図３】本発明に係る検査情報入力支援システムの一実施形態において電子カルテ画面を示す図。
【図４】本発明に係る検査情報入力支援システムの一実施形態において表示手段に表示される画面を示す図。
【図５】本発明に係る検査情報入力支援システムの一実施形態において表示手段に表示される画面を示す図。
【図６】本発明に係る検査情報入力支援システムの一実施形態において表示手段に表示される画面を示す図。
【図７】本発明に係る検査情報入力支援システムの一実施形態において表示手段に表示される画面を示す図。
【図８】従来の電子カルテシステムにおけるＡＣ／Ａ比を算出するための入力画面を示す図。
【図９】従来の電子カルテシステムにおける大型弱視鏡を用いた検査結果の入力画面を示す図。
【符号の説明】
【００４８】
１  サーバ
２  端末
３  表示手段
４  入力手段
５  受付端末
１１  ＣＰＵ
１２  記憶手段
１３  ＲＯＭ
１４  ＲＡＭ
２１  ＣＰＵ
【図１】
2005278764.tif 000003
【図２】
2005278764.tif 000004
【図３】
2005278764.tif 000005
【図４】
2005278764.tif 000006
【図５】
2005278764.tif 000007
【図６】
2005278764.tif 000008
【図７】
2005278764.tif 000009
【図８】
2005278764.tif 000010
【図９】
2005278764.tif 000011